(57)【要約】      （修正有）【課題】コーキング材が劣化した場合に、窓開口からの雨水の浸入を防止できる住宅用サッシ窓の取付構造を提供する。【解決手段】木造住宅の窓開口Ｗに、取付枠材１０を介して窓サッシを取り付ける住宅用サッシ窓の取付構造を技術的前提として、取付枠材１０の外周に、窓開口Ｗの内周縁端部を抱持するチャンネル材２０を設ける。取付枠材１０の外周に、窓開口Ｗの内周縁端部を抱持するチャンネル材２０を設けると、取付片１２の外周部に施したコーキング材１９が劣化または破損（亀裂等）しても、窓開口Ｗからの雨水の浸入を防止できる。【選択図】図１
0003220222.tif 000002
【実用新案登録請求の範囲】
【請求項１】
木造住宅の窓開口に、取付枠材を介して窓サッシを取り付ける住宅用サッシ窓の取付構造において、
前記取付枠材の外周に、
窓開口の内周縁端部を抱持するチャンネル材を設けることを特徴とする住宅用サッシ窓の取付構造。
【請求項２】
チャンネル材は、
窓開口の内周縁端部と密に嵌合するものであり、
窓開口の内周縁端部を外側と内側から挟み込む抱持部は、
断面において、
取付枠材の外周に配するコーキング材を超える外側位置まで延設させることを特徴とする請求項１記載の住宅用サッシ窓の取付構造。
【考案の詳細な説明】
【技術分野】
【０００１】
本考案は、木造住宅のサッシ窓の取り付け構造に関する。
【背景技術】
【０００２】
木造住宅の窓サッシＳは、例えば図３に示すように、外壁下地の窓開口に取り付ける外枠材（取付枠材）１と、この外枠材１に回動可能に装着する窓本体４とからなる。２は、外枠材１の外周に設けた取付片、３は、窓本体４を取り付ける支持体、５は、窓本体４のガラス６を支持する枠体、７は、窓本体４を回動可能に支持するための軸材である。
【０００３】
図４は、窓サッシＳを、窓開口Ｗに取り付けた状態を示す断面図である。通常の場合、窓開口Ｗは、例えば、窓台（底辺横材）、まぐさ（上辺横材）、左右のまぐさ受け（左右縦材）Ｐによって構成される。窓サッシＳは、窓開口Ｗの外周屋外面に、取付片２を当接させた状態で装着される。
【０００４】
８−１は、外枠材１の補強突出部、８−２は、枠体５を安定支持させる突出支持片である。
【０００５】
窓本体４のガラス６の開閉は、開き戸、引き戸、引き込み戸など各種の様式を用いることが出来る。
【０００６】
図３、図４は、開き戸を例示してあるが、窓本体４が他の開閉形式のサッシ構造であっても窓開口Ｗへの取付方式は同じである。開閉様式の違いによって、支持体３の構造や屋外／屋内方向の寸法は異なる場合がある。
【０００７】
また、木造住宅の建築時には、外枠材１と窓本体４とを一体化させた状態で取り扱うこともある。
【０００８】
外枠材１、支持体３等は、難錆の軽量金属、例えばアルミニウム材を用いて成形することが多い。これは、本考案においても同じである。
【０００９】
図５は、木造住宅の窓サッシＳを窓開口（Ｗ）に取り付けた状態を、屋外側から示すものである。外枠材１の取付片２が、窓開口（Ｗ）の外側に露出する。
【００１０】
図６、図７は、木造住宅の窓サッシＳを窓開口（Ｗ）に取り付けた後の仕上げ（防水処理）を例示するものである。
【００１１】
通常の場合、取付片２の外周部に防水処理用のコーキング材（シール材）９を施す。コーキング材９は、不定形の樹脂材を用いることが多い。コーキング材（シール材）９により、窓開口（Ｗ）の外周端縁からの雨水の浸入が防止される。
【００１２】
従来、窓サッシＳの外周部の防水技術としては、特許文献１、特許文献２が知られている。
【先行技術文献】
【特許文献】
【００１３】
【特許文献１】特開２０００−２４０３５６号
【特許文献２】特開２０００−３３７０２５号
【考案の開示】
【考案が解決しようとする課題】
【００１４】
問題は、取付片２の外周部に施したコーキング材（シール材）９が、様々な理由により劣化した場合に、窓開口（Ｗ）から雨水が容易に浸入するという点にある。これは、次の通りである。
【００１５】
コーキング材（シール材）９は、樹脂材料を用いた不定形または定形の部材を用いるが、樹脂材料は直射日光による紫外線によって、劣化しやすい。紫外線の影響で、収縮現象（いわゆる痩せる現象）を起こすからである。
【００１６】
また、窓のコーキング材（シール材）９は屋外にあるため、冬期／夏期の寒暖差により、年間を通して収縮／膨張を繰り返す。
【００１７】
その他、強風、地震等による窓サッシ（Ｓ）の揺動を受けるので、窓のコーキング材（シール材）９の劣化速度は、想定以上に早い場合が少なくない。
【００１８】
そこで、本考案の目的は、取付片（２）の外周部に施したコーキング材（９）が何らかの事由により劣化した場合にも、窓開口（Ｗ）からの雨水の浸入を防止できるようにすることにある。
【課題を解決するための手段】
【００１９】
前記目的を達成するため、本考案に係る住宅用サッシ窓の取付構造は、木造住宅の窓開口に、取付枠材を介して窓サッシを取り付ける住宅用サッシ窓の取付構造を技術的前提として、前記取付枠材の外周に、窓開口の内周縁端部を抱持するチャンネル材を設ける（請求項１）。
【００２０】
取付枠材（１）の外周に、窓開口の内周縁端部を抱持するチャンネル材を設けると、取付片（２）の外周部に施したコーキング材（９）が劣化または破損（亀裂等）しても、窓開口（Ｗ）からの雨水の浸入を防止できる。
【００２１】
チャンネル材によって、窓開口の内周縁端部が抱持されており、コーキング材（９）と同等の防水機能を営むからである。
【００２２】
チャンネル材は、窓開口の内周縁端部と密に嵌合するものであり、窓開口の内周縁端部を外側と内側から挟む抱持部は、断面において、取付枠材の外周に配するコーキング材を超えた外側位置まで延設する場合がある（請求項２）。
【００２３】
請求項２に記載するように、チャンネル材を窓開口の内周縁端部と密に嵌合するよう設けると、雨水の浸入をより確実に防止できる。
【００２４】
また、チャンネル材の構成材のうち、窓開口の内周縁端部を外側と内側から挟む抱持部は、断面において、取付枠材の外周に配するコーキング材の位置を超えてその外側位置まで延設する。これによって、コーキング材（９）が劣化または破損しても、抱持部が、コーキング材（９）に代わり、雨水の浸入を確実に防止する。
【考案の効果】
【００２５】
かかる構成によれば、窓サッシの取付片の外周部に施したコーキング材が劣化した場合にも、窓開口からの雨水の浸入を防止できる。
【図面の簡単な説明】
【００２６】
【図１】実施形態に係るサッシ窓の取付構造を例示する断面図である。
【図２】実施形態に係るチャンネル材の配設箇所を例示する図である。
【図３】窓サッシの一般的な構造例を示す図である
【図４】従来のサッシ窓の取付状態を例示する断面図である。
【図５】従来のサッシ窓の取付状態を例示する外観図である。
【図６】従来のサッシ窓の防水処理を示す断面図である。
【図７】図６に示す防水処理の外観図である。
【考案を実施するための形態】
【００２７】
図２は、本考案に係る住宅用サッシ窓の取付構造に適用する窓サッシＳを、例示するものである。基本構造は、従来の窓サッシと略同様である。
【００２８】
窓サッシＳは、例えば、窓開口に取り付ける外枠材（取付枠材）１０と、この外枠材１０に回動可能に装着する窓本体１４とによって構成する。
【００２９】
１２は、外枠材１０の外周に設けた取付片、１３は、窓本体１４を取り付ける支持体、１５は、窓本体１４のガラス１６を支持する枠体、１７は、窓本体１４を回動可能に支持するための軸材である。
【００３０】
２０は、支持体１３の外周側面（上面、下面、左右の両側面）に配するチャンネル材である。この図では、チャンネル材２０を斜線表示により簡略化して示してある。
【００３１】
図１は、実施形態に係る窓サッシＳを、窓開口Ｗに装着した状態を例示するものである。
【００３２】
１８−１は、外枠材１０の補強突出部、１８−２は、枠体１５を安定支持させる突出支持片である。
【００３３】
窓本体１４のガラス１６の開閉は、開き戸、引き戸、引き込み戸など各種の様式を用いることが出来る。外枠材１０、支持体１３等は、難錆の軽量金属、例えばアルミニウム材を用いて成形することが好ましい。
【００３４】
１９は、取付片１２の外周部に防水処理用のコーキング材（シール材）である。コーキング材（シール材）１９は、不定形の樹脂材、定形の樹脂材等、適宜のものを使用できる。
【００３５】
符号Ｄは、コーキング材（シール材）１９の外側（窓開口Ｗの反対方向）に配するサイディング材である。サイディング材Ｄは、例えば、窯業系サイディング材を用いる。サイディング材Ｄは、胴縁（図示せず）を介して構造用合板に取り付ける。
【００３６】
窓開口Ｗは、例えば、窓台（底辺横材）、まぐさ（上辺横材）、左右のまぐさ受け（左右縦材）によって構成される。チャンネル材２０は、これらの窓開口Ｗの構成部材（窓台、まぐさ、まぐさ受け）の内周端縁を抱持するよう適宜形状に構成する。
【００３７】
符号Ｑは、チャンネル材２０に抱持された窓開口Ｗの構成部材、例えば、まぐさ受けである。
【００３８】
窓開口Ｗの四辺の構成部材（窓台、まぐさ、まぐさ受け）は、通常、断面略矩形の木材を用いる。従って、チャンネル材２０は、当該構成部材の断面形状に応じた断面形状を呈するように成形する。窓開口Ｗの構成部材が、チャンネル材２０の使用を前提とした特殊形状に成形されている場合、チャンネル材２０は、当該特殊形状に対応する断面形状に成形する。
【００３９】
チャンネル材２０は、窓サッシＳと同様の難錆金属材、例えばアルミニウム材を使用する。
【００４０】
チャンネル材２０は、窓開口Ｗの四辺の構成部材の内周端縁を抱持して、雨水の内部浸入を防止できる形状、寸法に成形する。より具体的には、断面略コ字状、断面略Ｊ字状、断面略U字状等である。
【００４１】
コーキング材（シール材）１９が破損した場合等の雨水の浸入を防止するため、チャンネル材２０は、窓開口Ｗの内周縁端部と密に嵌合させ、窓開口Ｗの内周縁端部を外側と内側から挟み込む抱持部を、断面において、コーキング材１９を超える外側位置まで延設させることが望ましい。コーキング材１９を超える外側位置とは、窓開口Ｗを内側としたときに、窓開口Ｗの反対方向に向かって外側という意味である。
【００４２】
かかる構成によれば、経年劣化等により、コーキング材（シール材）１９が劣化／破損して窓開口Ｗの内部に雨水や融雪水が浸入しても、窓開口Ｗの四辺の構成部材と嵌合するチャンネル材２０が水の浸入を防止する。
【００４３】
この結果、窓開口Ｗの四辺の構成部材の腐食劣化を防止でき、窓サッシＳの装着状態を、長期にわたって良好に維持させることが可能となる。窓サッシＳまわりのメンテナンスを繰り返す必要が軽減されるため、維持管理の経済的な負担も軽くなる。
【００４４】
なお、本考案に係るサッシ窓の取付構造は、前記実施形態のものに限定されない。
【００４５】
例えば、チャンネル材２０は、窓サッシＳと同様の難錆金属材、例えばアルミニウム材を使用する旨説明したが、雨水／融雪水の浸入防止の点からは、樹脂材を用いたチャンネル材であっても良い。
【００４６】
樹脂材を用いたチャンネル材とすれば、窓開口Ｗの四辺の構成部材と密着させやすく、水の浸入を確実に防止できるからである。
【００４７】
チャンネル材として難錆金属（アルミニウム材等）を用いる場合は、水の浸入をより確実に防止するため、チャンネル材（アルミニウム材等）の内側に、樹脂材（不定形の樹脂材または肉薄シート材等）を配しても良い。
【符号の説明】
【００４８】
１０  外枠材（取付枠材）
１２  取付片
１３  支持体
１４  窓本体
１５  枠体
１６  ガラス
１７  軸材
１８−１  （外枠材の）補強突出部
１８−２  突出支持片
１９  コーキング材（シール材）
２０  チャンネル材
Ｄ  サイディング材
Ｑ  （窓開口の）構成部材
Ｓ  窓サッシ
Ｗ  窓開口
【図１】
0003220222.tif 000003
【図２】
0003220222.tif 000004
【図３】
0003220222.tif 000005
【図４】
0003220222.tif 000006
【図５】
0003220222.tif 000007
【図６】
0003220222.tif 000008
【図７】
0003220222.tif 000009